(57)【特許請求の範囲】
【請求項１】
身体運動トレーニングを行う人が使用するための器具において、
長手方向中心軸線を有して２つ以上の受容部が形成された実質的に管状の外面を有する管状の本体であって、前記２つ以上の受容部が互いに軸方向に間隔を空けて設けられた１対の受容部を含み、エラストマー材料から構成される本体と、
前記受容部の各々に設けられて前記受容部内に配置された前記器具用の取手とを備え、
前記取手の各々は、前記本体に連結された所定長さの素材によって形成され、前記受容部のそれぞれは、前記外面を貫通して形成された開口部により形成され、
前記本体は、円筒状の管から形成され、前記本体に設けられる個々の取手及び受容部は、前記各取手の側方となる前記管の部位を除去することにより形成されることを特徴とする器具。
【請求項２】
身体運動トレーニングを行う人が使用するための器具において、
長手方向中心軸線を有して２つ以上の受容部が形成された実質的に管状の外面を有する管状の本体であって、前記２つ以上の受容部が互いに軸方向に間隔を空けて設けられた１対の受容部を含み、エラストマー材料から構成される本体と、
前記受容部の各々に設けられて前記受容部内に配置された前記器具用の取手とを備え、
前記取手の各々は、前記本体に連結された所定長さの素材によって形成され、前記受容部のそれぞれは、前記外面を貫通して形成された開口部により形成され、
前記各取手は、前記各取手が設けられる前記受容部を形成している前記開口部を２分することを特徴とする器具。
【請求項３】
前記２つ以上の受容部には、さらに長手方向で前記１対の受容部の中間にある中央受容部を含むことを特徴とする請求項１または請求項２に記載の器具。
【請求項４】
前記中央受容部は、前記１対の受容部に対向する外面に形成されることを特徴とする請求項３に記載の器具。
【請求項５】
前記１対の受容部に備えられた前記取手は、前記中心軸線を中心とする円弧に実質的に沿ってそれぞれが配設されることを特徴とする請求項１または請求項２に記載の器具。
【請求項６】
前記本体は、実質的に円筒状であることを特徴とする請求項１または請求項２に記載の器具。
【請求項７】
前記器具の重量は、前記外面近傍に集中していることを特徴とする請求項１または請求項２に記載の器具。
【請求項８】
前記受容部の対は、およそ使用者の肩幅の間隔をあけて互いに軸線方向に離れていることを特徴とする請求項１または請求項２に記載の器具。
【請求項９】
前記本体はさらに、前記本体の末端に近接して形成された径方向に開口する１対の端部孔を含むことを特徴とする請求項１または請求項２に記載の器具。
【請求項１０】
前記本体と前記取手は、ゴムから形成されることを特徴とする請求項１または請求項２に記載の器具。
【請求項１１】
前記端部孔の一方または両方を介して前記本体に装着され、前記本体を使用者が引きずることができるようにするストラップを更に備えることを特徴とする請求項９に記載の器具。
【請求項１２】
前記受容部は、前記本体に形成された半径方向外向きに開口する凹部により形成されることを特徴とする請求項１または請求項２に記載の器具。
【請求項１３】
身体運動トレーニングを行う人が使用するための器具において、
長手方向中心軸線を有して２つ以上の受容部が形成された実質的な管状の外面を有する本体であって、前記２つ以上の受容部が互いに軸線方向に間隔を空けられて設けられた１対の受容部を含む本体と、
前記受容部の各々に設けられた前記器具用の取手とを備え、
前記本体は管から形成され、前記本体に設けられる個々の取手及び受容体は、前記各取手の側方となる前記管の部位を除去することにより形成されることを特徴とする器具。
【請求項１４】
前記本体は、エラストマー材料から構成されることを特徴とする請求項１３に記載の器具。
【請求項１５】
身体運動トレーニングを行う人が使用するための器具において、
長手方向中心軸線を有して２つ以上の受容部が形成された実質的に管状の外面を有する管状の本体であって、前記２つ以上の受容部が使用者のほぼ肩幅で軸線方向に互いに離れた１対の受容部を含み、エラストマー材料から構成される本体と、
前記受容部の各々に設けられた前記器具用の取手とを備え、
前記各取手は前記本体に連結された所定長さの素材により形成され、前記各受容部は前記管状の本体を貫通する開口部により形成され、
前記本体は、円筒状の管から形成され、前記本体に設けられる個々の取手及び受容部は、前記各取手の側方となる前記管の部位を除去することにより形成されることを特徴とする器具。
【請求項１６】
身体運動トレーニングを行う人が使用するための器具において、
長手方向中心軸線を有して２つ以上の受容部が形成された実質的に管状の外面を有する管状の本体であって、前記２つ以上の受容部が使用者のほぼ肩幅で軸線方向に互いに離れた１対の受容部を含み、エラストマー材料から構成される本体と、
前記受容部の各々に設けられた前記器具用の取手とを備え、
前記各取手は前記本体に連結された所定長さの素材により形成され、前記各受容部は前記管状の本体を貫通する開口部により形成され、
前記各取手は、前記各取手が設けられる前記受容部を形成している前記開口部を２分することを特徴とする器具。
【請求項１７】
前記管状の本体は、ゴムにより構成されることを特徴とする請求項１５または請求項１６に記載の器具。
【発明の詳細な説明】
【技術分野】
【０００１】
本発明は、身体運動トレーニングを行うときに使用する用具に関する。
【背景技術】
【０００２】
バーベルやダンベルを持ち上げる運動が知られている。これらのバーベルやダンベルは、金属バーに組み付けられる調製ねじを有したカラーにより金属バーの所定位置に環状の金属板が装着され、固定される。カラーがゆるんでくることは珍しいことではなく、この場合に、金属バーが水平位置に維持されていなければ、金属板が金属バーから外れることがある。これにより重度の肉体的なけがをもたらすことがあり、このタイプのウェートは金属バーが水平位置に維持されるような運動だけに使用されるのが一般的であって、このような運動が比較的制限されたものとなっている。ダンベルやバーベルの使用者は、決してやさしいとはいえない方法でこれらを床の上に置く傾向があるので、バーベルやダンベルの固い表面は、フィットネスセンターにとっても問題となる。このような問題は一般的に、体育館やフィットネスセンターのダンベルやバーベルの運動のために確保されている場所にクッション性のある床表面を使用することによって解決される。このようなタイプのダンベルやバーベルの実用性が上述のように限定され、専用の床の被いを実際に必要とするにもかかわらず、バーベルやダンベルは高い耐久性を有するとともに比較的安価に製造できることから、運動の分野において至る所に存在する。
【０００３】
従って、広範で多様な運動において安全に使用することができ、耐久性があって比較的安価に製造可能な運動用具が要求されている。
【発明の概要】
【課題を解決するための手段】
【０００４】
身体運動トレーニングを行う人が使用するための器具が、本発明の一態様をなす。この器具は実質的に管状の外面を有した本体を備える。該外面は中央軸線を有すると共に、２つ以上の受容部が設けられていることを特徴とする。該２つ以上の受容部は、互いに軸線方向に間隔を空けて設けられた１対の受容部を含む。各々の受容部には、器具のための取手が備えられており、該取手は各々の受容部内に配置されている。各々の取手は本体に連結された所定長さの部材によって形成される。それぞれの受容部は本体の外面を貫通する開口により設けられる。本体はエラストマーであってもよい。
【０００５】
身体運動トレーニングを行う人が使用するための器具が、本発明のもう１つの態様をなす。この器具は実質的に管状の外面を有する本体を備え、該外面は中心軸線を有すると共に、２つ以上の受容部が設けられている。該２つ以上の受容部は、互いに軸線方向に間隔を空けて設けられた１対の受容部を含む。各々の受容部には、器具のための取手が備えられており、該取手は各々の受容部内に配置されている。本体は管から形成される。本体に設けられる各々の取手及び受容部は、長手方向に見て各取手の側方となる管の部位を除去することにより形成される。本体はエラストマーであってもよい。
【０００６】
身体運動トレーニングを行う人が使用するための器具が開示される。この器具は実質的に管状の外面を有する管状の本体を備え、該表面は中心軸線を有すると共に、２つ以上の受容部が設けられている。該２つ以上の受容体は、使用者のほぼ肩幅の間隔で互いに軸線方向に間隔を空けて設けられた１対の受容部を含む。各々の受容部には、器具のための取手が備えられており、該取手は各々の受容部内に配置されている。各々の取手は本体に連結した所定長さの素材によって形成される。各々の受容部は管状の本体を貫通する開口によって設けられる。前記管状の本体はゴムであってもよい。
【０００７】
本発明の器具は、広範で多様な運動において安全に使用することができ、耐久性があり、比較的安価に製造可能であり、ゴムまたは他の弾性材料で作られている場合には、床の上に落としても床を削り取ったりへこませたりする可能性が低い。構成要素の操作方法や機能並びに部材の組み合わせや効率的な製造のほか、本発明の特徴や特性は、添付の図面に関連した以下の詳細な説明、及び添付の特許請求の範囲に基づき、より明らかとなる。なお、図面については以下に簡単に説明する。
【図面の簡単な説明】
【０００８】
【図１】本発明の典型的な一実施形態に係る運動器具の構成の前方斜視図である。
【図２】図１の構成の後方斜視図である。
【図３】図１に示した形式の、寸法と質量が異なる一組の運動器具を示す斜視図である。
【図４】本発明の代わりの一実施形態に係る運動器具を、図１と同様に示す図である。
【図５】第１の典型的な使用状態にある図１の器具を示す図である。
【図６】第２の典型的な使用状態にある図１の器具を示す図である。
【図７】第３の典型的な使用状態にある図１の器具を示す図である。
【図８】第４の典型的な使用状態にある図１の器具を示す図である。
【発明を実施するための形態】
【０００９】
本発明の一実施形態に係る運動用器具が図１と図２にそれぞれ前方及び後方斜視図として示されており、全般に参照番号１０で示されている。
当該器具１０はエラストマー、即ち、ネオプレンゴムによって形成された実質的に管状で円筒状の本体２０を備える。図示されている管状の本体２０は長さが４フィート、外径が７．８７５インチ、内径が６．５インチである。本体の重量は約３５ポンドである。
【００１０】
本体２０は、実質的に管状で、具体的には円筒状の外面２２を有し、当該外面２２は中心軸線Ｘ−Ｘを有する。
本体２０は２つ以上の受容部２４、２４、２６を有し、本実施形態において各々の受容部は、径方向に向けて外面２２に設けられた１対の開口部Ａによって形成される。当該２つ以上の受容部は、互いに軸線方向に離間する１対の受容部２４、２４、及び長手方向で１対の受容部２４、２４の中間にあり、１対の受容部２４、２４と対向する側の外面２２に形成された中央受容部２６を含む。また、当該外面２２には、径方向に向いた１対の端部孔２８が本体２０の末端３０に近接して設けられている。
【００１１】
器具１０はさらに各受容部２４、２４、２６内に配設された取手３４を有する。本実施形態の取手は、各受容部２４、２４、２６の開口部Ａ、Ａを互いに分離して本体２０に連結されることにより外面２２と滑らかに連続する、所定長さのゴム材によって形成されている。取手を受容する１対の受容部２４、２４の各取手３４は、実質的に中心軸線Ｘ−Ｘを中心とすると共に中心軸線に直角な円弧Ｃ−Ｃに沿って設けられる。中央の受容部２６の取手３４は縦方向に延設されている。
【００１２】
図示された本体２０及び取手３４は、シート状の黒いネオプレンゴム［硬度：６５＋／−５Ａ、引張り強さ（tensile）：２０００psi、伸び率（elongation）：３５０％］から製造される。シート状部材は所望の厚みと重量の管が得られるまでマンドレル上に巻きつけられた後、オートクレーブ内で硬化される。各取手及び開口部は、硬化した管の各取手の側方となる部位を除去することによって形成される。このような素材の除去は、例えばのこぎり、ウォータージェット、型抜き、レーザー等の従来のあらゆる方法を用いて行うことができる。
【００１３】
図８に示すように、この器具はさらに、端部孔２８の一方または両方を介して本体に装着可能なストラップ３６を備える。
運動器具の別の実施形態が図４に示されており、全般に参照番号１０’で示されている。当該運動器具は、中身のつまった発泡エラストマー製の棒２０’の形態をなす。本実施形態の受容部２４は径方向外向きに開口した凹部で形成され、取手３４は当該凹部に架け渡された硬質構造となっている。その他の点で、本実施形態は図１〜３の実施形態と実質的に同一であり、同様に番号が付与されている。
【００１４】
図１〜４の運動器具は、ダンベル及び／またはバーベルを使用する運動に類似した非常に広範で多様な身体運動トレーニング運動をする人が使用できる。
例えば、図５に図１の運動器具を使用している人を示す。ここでは、１対の開口部の取手を把持して上腕二頭筋を縮めた状態にある。本体の重量を表面近くに集中させ、結果として人の手首の負担が比較的小さくなるので、器具が全体でひとかたまりになっている場合と比較して比較的楽に運動を行うことができる。その上、開口部の対は互いにほぼ肩幅の間隔で軸線方向に間隔を空けられて設けられており、従来のバーベルを使用した上腕二頭筋の収縮運動と物理的に同様の上腕二頭筋の収縮運動をこの器具で行うことができる。
【００１５】
図６は突き出し運動（lunge exercise）を行っているときに、中央部の取手を把持している状態を示す。
図７は屈曲させているときに１対の受容部の取手を把持している状態を示す。
上記器具はさらに、ダンベルやバーベルの場合には安全または快適ではない多くの運動を行うときに使用することが可能である。例えば、図８に、背後に上記器具を引きずりながら走っている状態を示す。上記器具はまた、ジャンプ、ランニング、階段の上り下り、腰を前や横に曲げたり回したりするような運動をするときに、両肩にかけて支えるようにすることもできる。管の弾性特性により管状から若干圧縮または湾曲させることが可能であって、背骨に直接的に圧力を加えることなく使用者の両肩にのせることができる。
【００１６】
本発明の２つの詳細な実施形態をこれまでに述べたが、本発明の範囲から逸脱することなく、様々な変更をすることができることは明らかである。
例えば、図３に示すように、管は使用するマンドレルの直径やマンドレルの上に積層されたゴムの量を単に変えるだけで様々な重量と直径に形成することができる。ここでは、一式の管１０Ａ、１０Ｂ、１０Ｃ、１０Ｄ、１０Ｅが示されており、重量は各々１０、２５、４０、６０、及び８０ポンドである。ほんの一例として、６０ポンドのユニットの寸法は長さ４フィート、外径８．５インチ、内径６．５インチである。
【００１７】
なお、異なる長さや異なる孔の形態の管は、とりわけ切断パターンを変えることにより得られる。この点で、取手の理想的な間隔は使用者の背格好や行う運動に依存する。様々な方法や様々な使用者が器具を使用できるようにするため、図示したよりも多くの取手を備えることが可能であり、これらは互いに軸方向に並べて配置してもよいし、管の円周の周りに千鳥状に配列してもよい。
【００１８】
また、特定のタイプのゴムや形成方法が教示されているが、ゴムやエラストマー以外の材料を用いて器具を形成することが可能であり、他の形成方法が使用可能であることを特筆すべきである。ほんの一例として、実用的な管は青のＳＢＲ［硬度：６５＋／−５Ａ、１６００psi、伸び率（Elongation）：６００％］や、黄色のＳＢＲ［硬度：７０＋／−５Ａ、引張り強さ（Tensile）：１５００psi、伸び率（Elongation）：５００％］のシート材料から形成された。例えば図１に示すような中空の器具は、押出し成形、あるいは回転成形で得ることができた。これに代えて、図４に示すような棒状の本発明の形態は射出成形により得られる。
【００１９】
さらに、図１〜３に示す実施形態は、取手により１対の開口部が隔てられるが、これは必須ではない。例えば、単一の開口部を設けることも可能であり、この場合、親指を使わずに把持可能な構造に取手が形成される。
以上のように本発明は、添付された請求項によってのみ特定され、目的にかなっていると解釈されるべきである。
【図１】
0005425626.tif 000002
【図２】
0005425626.tif 000003
【図３】
0005425626.tif 000004
【図４】
0005425626.tif 000005
【図５】
0005425626.tif 000006
【図６】
0005425626.tif 000007
【図７】
0005425626.tif 000008
【図８】
0005425626.tif 000009